(57)【要約】【課題】  無線ＬＡＮシステムを介してインターネットに接続している移動端末がハンドオーバによりＢＳＳが変更となった場合にも、データの送受信を中断等することなくインターネットへの接続を継続可能とし、ハンドオーバ時の一連の処理時間を短縮する。【解決手段】  移動端末１０は、無線通信部１２と、インターネット通信部１４と、移動端末１０がハンドオーバをした際、ＢＳＳ３０の変更を検出する検出部１６と、ＢＳＳ３０の変更を検出したときに、データの送受信を継続しながらＤＨＣＰサーバ６０にサブネット情報を問い合わせ、サブネット４０が、ＢＳＳ３０の変更前と異なるサブネット４０である場合に、ＤＨＣＰサーバ６０から新たなＩＰアドレスを取得し、当該ＩＰアドレスでインターネット接続をするようインターネット通信部１４を制御する制御部１８とを含んで構成される。【選択図】  図２
2005124087.tif 000002
【特許請求の範囲】
【請求項１】
無線ＬＡＮシステムを介して、ＩＰｖ４に準拠した無線通信を行う移動端末であって、
自端末のハンドオーバによるＢＳＳの変更があったことを検出する検出手段と、
前記検出手段によりＢＳＳの変更を検出したときに、データの送受信を継続しながらＤＨＣＰサーバにサブネット情報を問い合わせ、当該問い合わせにより判明したサブネットが、ＢＳＳの変更前と異なるサブネットである場合に、ＤＨＣＰサーバから新たなＩＰアドレスを取得し、当該ＩＰアドレスでインターネット接続をする制御を行う制御手段と
を備えた移動端末。
【請求項２】
前記検出手段は、自端末がハンドオーバを行ったとき、さらにＥＳＳの変更があったことも検出し、
前記制御手段は、前記検出手段によりＥＳＳの変更を検出したときに、データ通信を切断し、ＤＨＣＰサーバへサブネット情報を問い合わせ、当該問い合わせにより判明したサブネットが、前記ＥＳＳの変更前と異なるサブネットである場合はＤＨＣＰサーバから新たなＩＰアドレスを取得し、当該ＩＰアドレスでインターネット接続をする制御もさらに行う
ことを特徴とする請求項１記載の移動端末。
【請求項３】
無線ＬＡＮシステムを介して、ＩＰｖ４に準拠した無線通信を行う移動端末を制御する移動端末制御方法であって、
自端末のハンドオーバによるＢＳＳの変更があったことを検出する検出ステップと、
前記検出ステップによりＢＳＳの変更を検出したときに、データの送受信を継続しながらＤＨＣＰサーバにサブネット情報を問い合わせ、当該問い合わせにより判明したサブネットが、ＢＳＳの変更前と異なるサブネットである場合に、ＤＨＣＰサーバから新たなＩＰアドレスを取得し、当該ＩＰアドレスでインターネット接続をする制御を行う制御ステップと
を備えたことを特徴とする移動端末制御方法。
【発明の詳細な説明】
【技術分野】
【０００１】
本発明は、無線ＬＡＮシステムを介して、ＩＰｖ４に準拠した無線通信を行う移動端末、及び当該移動端末を制御する移動端末制御方法に関する。
【背景技術】
【０００２】
従来、移動端末は、アクセスポイントに無線接続するための無線ＬＡＮ（Local  Area  Network）システムを介して、インターネットに接続することができる。移動端末とアクセスポイントの間は無線ＬＡＮのプロトコルにより接続され、インターネット（ＩＰｖ４（Internet  Protocol  Version  4）に準拠した通信）へはＴＣＰ／ＩＰ（Transmission  Control  Protocol/Internet  Protocol）により接続される。
【０００３】
このうち無線ＬＡＮについては、移動端末が、無線ＬＡＮシステム内のあるアクセスポイントのＢＳＳ（Basic  Service  Set：基本サービスセット）に属することにより無線ＬＡＮの通信を確立する。移動端末が移動し、異なるＢＳＳのエリアに入った場合は、自動的に当該異なるＢＳＳのアクセスポイントに切り替えるハンドオーバを行い、通信を継続することができる。
【０００４】
また、インターネットへの接続については、ＤＨＣＰ（Dynamic  Host  Configuration  Protocol）サーバが、アクセスポイントを介して、移動端末にＩＰアドレス（プライベートアドレス）を設定等することで可能となる。ところで、大企業などではネットワーク管理や回線資源の分配を効率よく行うために、ネットワークをいくつかのサブネット（管理単位のネットワーク）に分割して設定し、管理する場合がある。ＩＰアドレスはこのサブネット毎に設定され、あるサブネットでは、他のサブネットで設定されたＩＰアドレスを用いては、インターネットへの接続をすることができない（下記の特許文献１参照）。
【特許文献１】特開２０００−１５６６８２号公報
【発明の開示】
【発明が解決しようとする課題】
【０００５】
無線ＬＡＮシステムにおいて、サブネットは１つ又は複数のＢＳＳにより構成されるので、移動端末がハンドオーバを行った際には、サブネットも異なるものとなる場合がある。その場合、移動端末に設定されていたＩＰアドレスではインターネットへの接続が不可能になったり、ネットワークに混乱を生じさせ、結果としてデータ通信が中断したり、ハンドオーバ時の一連の処理に時間がかかってしまうという問題があった。
【０００６】
本発明は、上記課題を解決するために成されたものであり、無線ＬＡＮシステムを介してインターネットに接続している移動端末がハンドオーバによりＢＳＳが変更となった場合にも、データの送受信を中断等することなくインターネットへの接続を継続可能とし、ハンドオーバ時の一連の処理時間を短縮することができる移動端末及び移動端末制御方法を提供することを目的とするものである。
【課題を解決するための手段】
【０００７】
上記目的を達成するために、本発明に係る移動端末は、無線ＬＡＮシステムを介して、ＩＰｖ４に準拠した無線通信を行う移動端末であって、自端末のハンドオーバによるＢＳＳの変更があったことを検出する検出手段と、検出手段によりＢＳＳの変更を検出したときに、データの送受信を継続しながらＤＨＣＰサーバへサブネット情報を問い合わせ、当該問い合わせにより判明したサブネットが、ＢＳＳの変更前と異なるサブネットである場合に、ＤＨＣＰサーバから新たなＩＰアドレスを取得し、当該ＩＰアドレスでインターネット接続をする制御を行う制御手段とを備えたことを特徴とする。
【０００８】
本発明に係る移動端末では、自端末がハンドオーバをすると、検出手段が当該ハンドオーバによるＢＳＳの変更を検出する。当該検出がなされると、制御手段がデータの送受信を継続しながらＤＨＣＰサーバへサブネット情報を問い合わせ、当該問い合わせにより判明したサブネットが、ＢＳＳの変更前と異なるサブネットである場合に、ＤＨＣＰサーバから新たなＩＰアドレスを取得し、当該ＩＰアドレスでインターネット接続をする制御を行う。
【０００９】
これにより、本発明に係る移動端末は、ハンドオーバによりＢＳＳが変更となる場合、サブネットが同一の場合は従来通りデータの送受信を中断することなくインターネットへの接続を継続でき、また、サブネットが異なるものになった場合でも、データの送受信を中断することなく、ハンドオーバ時の一連の処理時間を短縮することができ、自動的に新たなＩＰアドレスを取得しインターネットへの接続を行うことができる。
【００１０】
また、本発明は、上記のように移動端末の発明として記述できる他に、以下のように移動端末制御方法の発明としても記述することができる。これはカテゴリーが異なるだけで、実質的に同一の発明であり、同様の作用効果を奏する。
【００１１】
すなわち、本発明に係る移動端末制御方法は、無線ＬＡＮシステムを介して、ＩＰｖ４に準拠した無線通信を行う移動端末を制御する移動端末制御方法であって、自端末のハンドオーバによるＢＳＳの変更があったことを検出する検出ステップと、検出ステップによりＢＳＳの変更を検出したときに、データの送受信を継続しながらＤＨＣＰサーバにサブネット情報を問い合わせ、当該問い合わせにより判明したサブネットが、ＢＳＳの変更前と異なるサブネットである場合に、ＤＨＣＰサーバから新たなＩＰアドレスを取得し、当該ＩＰアドレスでインターネット接続をする制御を行う制御ステップとを備えたことを特徴とする。
【００１２】
ところで、複数のＢＳＳを組み合わせたものをＥＳＳ（Extended  Service  Set：拡張サービスセット）と呼ぶ。上記はハンドオーバによりＢＳＳが変更になる場合についてのみ考慮しているが、特にＥＳＳの変更となるようなハンドオーバを行った場合には、サブネットも異なることが殆どなので、上述した問題が起こる可能性が高かった。
【００１３】
当該課題に対処するために、本発明の移動端末においては、検出手段は、自端末がハンドオーバを行ったとき、さらにＥＳＳの変更があったことも検出し、制御手段は、検出手段によりＥＳＳの変更を検出したときに、データ通信を切断し、ＤＨＣＰサーバへサブネット情報を問い合わせ、当該問い合わせにより判明したサブネットが、ＥＳＳの変更前と異なるサブネットである場合はＤＨＣＰサーバから新たなＩＰアドレスを取得し、当該ＩＰアドレスでインターネット接続をする制御もさらに行う構成とすることが望ましい。
【００１４】
本発明に係る移動端末では、自端末がハンドオーバを行ったとき、ＥＳＳの変更があったことも検出する。当該検出がなされると、制御手段がデータ通信を切断し、ＤＨＣＰサーバへサブネット情報を問い合わせ、当該問い合わせにより判明したサブネットが、当該ＥＳＳの変更前と異なるサブネットである場合はＤＨＣＰサーバから新たなＩＰアドレスを取得し、当該ＩＰアドレスでインターネット接続をする制御も行う。
【００１５】
これにより、本発明に係る移動端末は、ハンドオーバによりＥＳＳが変更となる場合でも、ハンドオーバ時の一連の処理時間をより短縮することができ、自動的に新たなＩＰアドレスを取得しインターネットへの接続を行うことができる。
【発明の効果】
【００１６】
以上説明したように、本発明によれば、移動端末が、ハンドオーバによりＢＳＳが変更となる場合、サブネットが同一の場合は従来通りデータの送受信を中断することなくインターネットへの接続を継続でき、また、サブネットが異なるものになった場合でも、データの送受信を中断することなく、ハンドオーバ時の一連の処理時間を短縮することができ、自動的に新たなＩＰアドレスを取得しインターネットへの接続を行うことができる。
【発明を実施するための最良の形態】
【００１７】
以下、図面を参照しながら、本発明に係る移動端末の一実施の形態について説明する。
【００１８】
図１は、本実施形態における無線ＬＡＮシステム及びＩＰｖ４に準拠した無線通信システムの全体構成図である。同図に示すように、無線ＬＡＮシステム及びＩＰｖ４に準拠した無線通信システムは移動端末１０と、移動端末１０と無線通信を行う無線ＬＡＮのアクセスポイント２０（２０Ａ〜２０Ｄの総称）と、当該アクセスポイント２０毎のＢＳＳ３０（３０Ａ〜３０Ｄの総称）と、当該複数のＢＳＳ３０を組み合わせたＥＳＳ３１（３１Ａ，３１Ｂの総称）と、サブネット４０（４０Ａ〜４０Ｃの総称）と、各サブネット４０を管理するルータ５０（５０Ａ〜５０Ｃの総称）と、移動端末１０にＩＰアドレスを設定するＤＨＣＰサーバ６０とを含んで構成される。移動端末１０は、例えば、ＩＰ無線電話、ＰＤＡ（Personal  Digital  Assistants）、ノートパソコン等に相当する。サブネット４０は１つ又は複数のＢＳＳ３０により構成される。例えば、サブネット４０ＡはＢＳＳ３０ＡとＢＳＳ３０Ｂとから、サブネット４０ＢはＢＳＳ３０Ｃから、サブネット４０ＣはＢＳＳ３０Ｄから、それぞれ構成される。
【００１９】
図２は、移動端末１０の構成図である。同図に示すように移動端末１０は、アクセスポイント２０と無線通信を行う無線通信部１２と、無線通信部１２を通じてインターネット通信を行うインターネット通信部１４と、移動端末１０がハンドオーバをした際、図１のＢＳＳ３０及びＥＳＳ３１の変更を検出する検出部１６と、インターネット通信部１４を制御する制御部１８とを含んで構成される。インターネット７０は移動端末１０の接続対象である。検出部１６によるＢＳＳ３０の変更の検出は、例えば、無線通信部１２で認識しているＢＳＳ３０の識別子であるＢＳＳＩＤのハンドオーバによる変更を検出すること等により行う。また、検出部１６によるＥＳＳ３１の変更の検出は、例えば、無線通信部１２で認識しているＥＳＳ３１の識別子であるＥＳＳＩＤのハンドオーバによる変更を検出すること等により行う。
【００２０】
移動端末１０は、アクセスポイント２０と無線通信を行い、図１のルータ５０を介して図１のＤＨＣＰサーバ６０からＩＰアドレスを設定されることにより、インターネット７０に接続可能となる。
【００２１】
以下、図３の流れ図を用いて、本実施形態の移動端末１０により実行される処理を説明する。
【００２２】
まず、無線ＬＡＮシステムとの無線通信及びインターネット接続が確立された移動端末１０では、無線通信部１２がハンドオーバの処理を行うと、検出部１６がハンドオーバによるＢＳＳ３０の変更があったことを検出する（Ｓ０１）。例えば、移動端末１０のユーザがＢＳＳ３０Ａのエリアから、ＢＳＳ３０Ｂのエリアに移動すると、無線通信部１２がハンドオーバ処理をし、検出部１６がＢＳＳ３０ＡからＢＳＳ３０Ｂへの変更を検出する。
【００２３】
続いて、検出部１６が、当該ハンドオーバによるＥＳＳ３１の変更の有無を検出する（Ｓ０２）。
【００２４】
ＥＳＳ３１の変更が検出されないときには、データの送受信を継続しながら、制御部１８が、ＤＨＣＰサーバ６０へサブネット情報を問い合わせるようインターネット通信部１４を制御する（Ｓ０３）。ここで、ＤＨＣＰサーバ６０へ問い合わせる「サブネット情報」とは、ＤＨＣＰサーバ６０から提案されるＩＰアドレス及びサブネットマスク等が相当する。上記問い合わせは、ＤＨＣＰサーバ６０へＤＨＣＰ  Discoverを送信することにより行われる。
【００２５】
続いて、制御部１８が、当該サブネット情報の問い合わせに対し、ＤＨＣＰサーバ６０から送られたサブネット情報と、ハンドオーバ前のサブネット情報を比較し、ハンドオーバ前後でサブネット４０が異なるか否かを判断する（Ｓ０４）。上記問い合わせ結果のサブネット情報は、ＤＨＣＰサーバ６０から送信されるＤＨＣＰ  Offerに含まれる。
【００２６】
Ｓ０４にてハンドオーバ前後でサブネット４０が異なる場合、制御部１８が、ＤＨＣＰサーバ６０から新たなＩＰアドレスを取得し、当該新たなＩＰアドレスでインターネットに接続し、データ通信を再開するようにインターネット通信部１４を制御する。（Ｓ０５、Ｓ０６）。例えば、ＢＳＳ３０の変更がＢＳＳ３０ＢからＢＳＳ３０Ｃへの変更だった場合は、サブネット４０Ａからサブネット４０Ｂへ変更となるので、上記処理がなされる。ＩＰアドレスの取得は、ＤＨＣＰサーバ６０へのＤＨＣＰ  Requestの送信及びＤＨＣＰサーバ６０から送信されるＤＨＣＰ  ACKの受信により行われる。
【００２７】
Ｓ０４にてハンドオーバ前後でサブネット４０が同じ場合、インターネット接続及びデータ通信は継続する（Ｓ０７）。例えば、ＢＳＳ３０ＡからＢＳＳ３０Ｂへの変更だった場合は、サブネット４０Ａのままであるので、上記のようにインターネット接続及びデータ通信は継続する。
【００２８】
ハンドオーバの時点（Ｓ０２）で、ＥＳＳ３１の変更が検出されたときには、制御部１８が、データ通信を切断し、ＤＨＣＰサーバ６０へサブネット情報を問い合わせるようインターネット通信部１４を制御する（Ｓ０８、Ｓ０９）。
【００２９】
続いて、制御部１８が、当該サブネット情報の問い合わせに対し、ＤＨＣＰサーバ６０から送られたサブネット情報と、ハンドオーバ前のサブネット情報を比較し、ハンドオーバ前後でサブネット４０が異なるか否か判断する（Ｓ１０）。
【００３０】
このときハンドオーバ前後でサブネット４０が異なる場合、制御部１８が、ＤＨＣＰサーバ６０から新たなＩＰアドレスを取得し、当該新たなＩＰアドレスでインターネット７０に接続し、データ通信を再開するようにインターネット通信部１４を制御する。（Ｓ１１、Ｓ１２）。例えば、ＥＳＳ３１Ａ（ＢＳＳ２０Ｃ）からＥＳＳ３１Ｂ（ＢＳＳ３０Ｄ）への変更だった場合は、サブネット４０Ｂからサブネット４０Ｃへ変更となるので、上記処理がなされる。
【００３１】
Ｓ１０にてハンドオーバ前後でサブネット４０が同じ場合、制御部１８が、ハンドオーバ前のＩＰアドレスでインターネット７０に接続し、データ通信を再開するようにインターネット通信部１４を制御する（Ｓ１３）。
【００３２】
これにより、本実施形態における移動端末１０は、ハンドオーバによりＢＳＳ３０が変更となる場合、サブネット４０が同一の場合は従来通りデータの送受信を中断することなくインターネット７０への接続を継続でき、また、サブネット４０が異なるものになった場合でも、データの送受信を中断することなく、ハンドオーバ時の一連の処理時間を短縮することができ、自動的に新たなＩＰアドレスを取得しインターネット７０への接続を行うことができる。
【００３３】
また、本実施形態における移動端末１０は、ハンドオーバによりＥＳＳ３１が変更となる場合でも、ハンドオーバ時の一連の処理時間をより短縮することができ、自動的に新たなＩＰアドレスを取得しインターネット７０への接続を行うことができる。
【図面の簡単な説明】
【００３４】
【図１】本発明の実施形態における無線ＬＡＮシステム及びＩＰｖ４に準拠した無線通信システムの全体構成図である。
【図２】移動端末の構成図である。
【図３】本発明の実施形態における処理を表す流れ図である。
【符号の説明】
【００３５】
１０…移動端末、１２…無線通信部、１４…インターネット通信部、１６…検出部、１８…制御部、２０…アクセスポイント、３０，３０Ａ，３０Ｂ，３０Ｃ，３０Ｄ…ＢＳＳ、３１，３１Ａ，３１Ｂ…ＥＳＳ、４０，４０Ａ，４０Ｂ，４０Ｃ…サブネット、５０，５０Ａ，５０Ｂ，５０Ｃ…ルータ、６０…ＤＨＣＰサーバ、７０…インターネット。
【図１】
2005124087.tif 000003
【図２】
2005124087.tif 000004
【図３】
2005124087.tif 000005